(57)【要約】【課題】  表示画面を右側から見る場合及び左側から見る場合で異なる複数の画像情報を当該表示画面上に同時に表示可能なディスプレイ装置を用いて複数の画像情報を表示させる場合の操作性を向上させた携帯可能な情報表示装置を提供する。【解決手段】  画像情報を表示するための表示画面２１を有し、表示画面２１を右側から見る場合及び左側から見る場合で異なる２つの画像情報を当該表示画面２１上に同時に表示可能なマルチビュー表示部１０と、ユーザによる操作キーの操作に基づいて上記２つの画像情報をそれぞれ生成する第１及び第２の画像生成部５４ａ，５４ｂと、ユーザに対する表示画面２１の傾きを検知する傾き検知部５１と、傾き検知部５１による検知結果に基づいて操作キーの操作に基づく入力信号を第１及び第２の画像生成部５４ａ，５４ｂのいずれかに出力する操作対象選択部５３により構成される。【選択図】  図４
2009069440.tif 000002
【特許請求の範囲】
【請求項１】
画像情報を表示するための表示画面を有し、上記表示画面を右側から見る場合及び左側から見る場合で異なる２つの画像情報を当該表示画面上に同時に表示可能なマルチビュー表示手段と、
ユーザによる操作キーの操作に基づいて、上記２つの画像情報をそれぞれ生成する第１及び第２の画像生成手段と、
ユーザに対する上記表示画面の傾きを検知する傾き検知手段と、
上記傾き検知手段による検知結果に基づいて、上記操作キーの操作に基づく入力信号を上記第１及び第２の画像生成手段のいずれかに出力する操作対象選択手段とを備えたことを特徴とする携帯可能な情報表示装置。
【請求項２】
上記傾き検知手段が、上記表示画面に生じる加速度を検出する加速度検出手段を有し、上記加速度検出手段により検出された加速度に基づいて表示画面の傾きを検知することを特徴とする請求項１に記載の携帯可能な情報表示装置。
【請求項３】
上記表示画面を有する表示筐体と、上記操作キーが配置された操作筐体と、操作筐体に対して上記表示画面の向きを左右方向に変更可能なように上記表示筐体及び上記操作筐体を連結する連結手段とを備え、
上記傾き検知手段が、上記操作筐体に対する上記表示筐体の回転角に基づいて、表示画面の傾きを検知することを特徴とする請求項１に記載の携帯可能な情報表示装置。
【請求項４】
上記表示画面に対して隣接配置される鏡面を有し、表示中の上記２つの画像情報のいずれか一方の画像情報を上記鏡面で反射させることにより、鏡面上の上記一方の画像情報及び表示画面上の他方の画像情報を同時に視認可能にする表示画像反射手段を備えたことを特徴とする請求項１に記載の携帯可能な情報表示装置。
【請求項５】
上記鏡面で反射させる上記一方の画像情報について、左右を反転させる鏡面反転処理を行う画像反転手段を備え、
上記マルチビュー表示手段が、上記画像反転手段による鏡面反転処理後の画像情報を上記一方の画像情報として表示することを特徴とする請求項４に記載の携帯可能な情報表示装置。
【発明の詳細な説明】
【技術分野】
【０００１】
本発明は、携帯電話機などの携帯可能な情報表示装置に係り、さらに詳しくは、表示画面を右側から見る場合及び左側から見る場合で異なる２つの画像情報を当該表示画面上に同時に表示可能な情報表示装置に関する。
【背景技術】
【０００２】
異なる画像情報をそれぞれ生成する複数のアプリケーションを同時に起動させるマルチアプリ機能を有する携帯電話機やＰＤＡ（Personal Digital Assistants）などの携帯可能な情報表示装置が従来から知られている。通常、マルチアプリ機能により実行中の複数のアプリケーションによって生成された各画像情報は、いずれか１つのみが画面表示され、所定の操作キーの操作によって操作対象とするアプリケーションを変更する処理が行われる。或いは、表示画面を複数の表示領域に分割し、これらの表示領域に各画像情報を表示する処理が行われる。この様に表示画面を分割して画像情報を表示させる場合にも、所定の操作キーの操作によって操作対象とするアプリケーションを変更する処理が行われる。
【０００３】
複数の画像情報のうちの１つだけを画面表示する情報表示装置の場合、表示中のアプリケーション画像以外のアプリケーション画像を当該表示中のアプリケーション画像と同時に見ることはできないので、操作対象とするアプリケーション以外のアプリケーションの状態を認識できなかった。このため、操作対象とするアプリケーション以外のアプリケーションの状態を認識するためには、操作対象変更のためのキー操作を行わなければならず、操作性が良くないという問題があった。一方、表示画面を分割して画像情報を表示させる情報表示装置の場合には、１つのアプリケーション画像を画面全体に表示させるのに比べて画像サイズが小さくなるので、視認しづらくなってしまうという問題があった。
【０００４】
近年、表示画面を右側から見る場合と左側から見る場合とで異なる２つの画像情報を当該表示画面上に同時に表示可能な液晶ディスプレイ装置が提案されている（例えば、特許文献１〜３）。例えば、表示画面の右側視野及び左側視野で異なる２つの画像情報を同時に表示可能な液晶ディスプレイ装置（いわゆるデュアルビュー液晶）では、表示画面を右側から見る場合と左側から見る場合とで異なる２つの画像が画面表示される。また、表示画面を右側から見る場合、正面から見る場合及び左側から見る場合で異なる３つの画像情報を同時に表示可能な、いわゆるトリプルビュー液晶も提案されている。そこで、この様なディスプレイ装置を上述した情報表示装置に用いて、実行中のアプリケーションによって生成された複数の画像情報を表示させることが考えられる。この様にすれば、画像サイズが小さくなることなく、複数のアプリケーション画像を同時に表示させることができるので、操作対象とするアプリケーション以外のアプリケーションの状態も容易に認識することができる。しかしながら、操作対象とするアプリケーションを変更する際には、キー操作を行わなければならないので、操作性が良くないという問題があった。
【０００５】
なお、特許文献２には、タッチパネル上の操作位置を判別して、操作対象とする画像を変更させる技術が開示され、また、特許文献３には、音声や指紋の解析によって操作者を判別して、操作対象とする画像を変更させる技術が開示されている。これらの特許文献２及び３に記載の技術は、複数の操作者がそれぞれ表示画面の視野ごとに異なる画像を見ることを前提としており、同じ操作者に対して視野ごとに異なる画像を視認させることが想定される携帯電話機に適用できるものではない。
【特許文献１】特開２００７−１４５１５８号公報
【特許文献２】特開２００５−７１２８６号公報
【特許文献３】特開２００７−１１２２８３号公報
【発明の開示】
【発明が解決しようとする課題】
【０００６】
上述した通り、従来の携帯可能な情報表示装置では、少なくとも表示画面を右側から見る場合と左側から見る場合とで異なる２つの画像情報を当該表示画面上に同時に表示可能なディスプレイ装置を用いて実行中のアプリケーションによって生成された複数の画像情報を表示させる場合に、操作対象とするアプリケーションを変更するためにはキー操作を行わなければならないので、操作性が良くないという問題があった。
【０００７】
本発明は、上記事情に鑑みてなされたものであり、表示画面を右側から見る場合と左側から見る場合とで異なる複数の画像情報を当該表示画面上に同時に表示可能なディスプレイ装置を用いて複数の画像情報を表示させる場合の操作性を向上させた携帯可能な情報表示装置を提供することを目的としている。特に、操作対象を変更する際の操作性を向上させた情報表示装置を提供することを目的としている。
【課題を解決するための手段】
【０００８】
第１の本発明による携帯可能な情報表示装置は、画像情報を表示するための表示画面を有し、上記表示画面を右側から見る場合及び左側から見る場合で異なる２つの画像情報を当該表示画面上に同時に表示可能なマルチビュー表示手段と、ユーザによる操作キーの操作に基づいて、上記２つの画像情報をそれぞれ生成する第１及び第２の画像生成手段と、ユーザに対する上記表示画面の傾きを検知する傾き検知手段と、上記傾き検知手段による検知結果に基づいて、上記操作キーの操作に基づく入力信号を上記第１及び第２の画像生成手段のいずれかに出力する操作対象選択手段とを備えて構成される。
【０００９】
この様な構成によれば、表示画面の傾きによって第１及び第２の画像生成手段のいずれかが操作対象として選択され、操作キーの操作に基づく入力信号が選択された画像生成手段へ出力されるので、ユーザは、表示画面を自分から見て右側又は左側に傾けることによって、操作対象とする画像生成手段を変更することができる。
【００１０】
第２の本発明による携帯可能な情報表示装置は、上記構成に加え、上記傾き検知手段が、上記表示画面に生じる加速度を検出する加速度検出手段を有し、上記加速度検出手段により検出された加速度に基づいて表示画面の傾きを検知するように構成される。
【００１１】
第３の本発明による携帯可能な情報表示装置は、上記構成に加え、上記表示画面を有する表示筐体と、上記操作キーが配置された操作筐体と、操作筐体に対して上記表示画面の向きを左右方向に変更可能なように上記表示筐体及び上記操作筐体を連結する連結手段とを備え、上記傾き検知手段が、上記操作筐体に対する上記表示筐体の回転角に基づいて、表示画面の傾きを検知するように構成される。
【００１２】
第４の本発明による携帯可能な情報表示装置は、上記構成に加え、上記表示画面に対して隣接配置される鏡面を有し、表示中の上記２つの画像情報のいずれか一方の画像情報を上記鏡面で反射させることにより、鏡面上の上記一方の画像情報及び表示画面上の他方の画像情報を同時に視認可能にする表示画像反射手段を備えて構成される。
【００１３】
第５の本発明による携帯可能な情報表示装置は、上記構成に加え、上記鏡面で反射させる上記一方の画像情報について、左右を反転させる鏡面反転処理を行う画像反転手段を備え、上記マルチビュー表示手段が、上記画像反転手段による鏡面反転処理後の画像情報を上記一方の画像情報として表示するように構成される。
【発明の効果】
【００１４】
本発明による携帯可能な情報表示装置によれば、表示画面の傾きによって第１及び第２の画像生成手段のいずれかが選択され、操作キーの操作に基づく入力信号が出力されるので、ユーザは、表示画面を自分から見て右側又は左側に傾けることによって、操作対象とする画像生成手段を変更することができる。従って、操作対象を変更する際の操作性が向上するので、表示画面を右側から見る場合と左側から見る場合とで異なる複数の画像情報を当該表示画面上に同時に表示可能なディスプレイ装置を用いて複数の画像情報を表示させる場合の操作性を向上させることができる。
【発明を実施するための最良の形態】
【００１５】
実施の形態１．
図１（ａ）及び（ｂ）は、本発明の実施の形態１による携帯可能な情報表示装置を示した図であり、情報表示装置の一例として折り畳み可能な携帯電話機１が示されている。図１（ａ）には、携帯電話機１を正面から見た様子が示され、図１（ｂ）には、携帯電話機１の左側面を見た様子が示されている。この携帯電話機１は、表示画面２１を右側から見る場合と左側から見る場合とで異なる２つの画像情報を同時に表示可能な情報表示装置であり、表示筐体２、操作筐体３及びヒンジ部４からなる。
【００１６】
表示筐体２は、表示画面２１、受話用レシーバ２２及びアンテナ２３を有する構造体であり、薄型の直方体形状からなる。表示画面２１は、画像情報を表示するための表示素子であり、表示筐体２の一主面上に配置されている。この例では、表示画面２１が縦長の液晶パネルからなる。受話用レシーバ２２は、受話音を再生するための音声出力装置である。アンテナ２３は、音声信号などを送受信するための通信用アンテナである。
【００１７】
操作筐体３は、複数の操作キーが配置された操作パネル３０及び送話用マイクロホン３６を有する構造体であり、薄型の直方体形状からなる。操作パネル３０は、操作筐体３の一主面に設けられ、操作パネル３０上には、ガイドキー３１ａ，３１ｂ、オンフックキー３２、オフフックキー３３、メニューキー３４及び方向キー３５と、テンキーなどの文字入力キーと、アプリキーとが配置されている。
【００１８】
ガイドキー３１ａ及び３１ｂは、いずれも機能割り当てを表示画面内に表示可能な操作キーであり、それぞれ表示画面２１に対して右側及び左側に配置されている。アプリキーは、予め登録されているアプリケーションプログラムを起動させるための操作キーである。
【００１９】
ヒンジ部４は、装置全体が縦長となるように表示筐体２及び操作筐体３を連結する連結手段であり、直交する２つの回転軸Ａ１及びＡ２を有する２軸ヒンジからなる。ヒンジ部４の回転軸Ａ１は、表示画面２１の上下方向に平行な回転軸であり、回転軸Ａ１を中心として操作筐体３に対して表示筐体２を回転させることにより、両筐体を折り畳むことができる。また、回転軸Ａ２を中心として操作筐体３に対して表示筐体２を回転させることにより、操作筐体３に対して表示画面２１の向きを左右方向に変更することができる。
【００２０】
図２は、図１の携帯電話機１における表示部の構成例を示したブロック図であり、表示画面２１を右側から見る場合及び左側から見る場合で異なる２つの画像情報を同時に表示可能なマルチビュー表示部１０の機能構成の一例が示されている。マルチビュー表示部１０は、右側画像書込部１１ａ、左側画像書込部１１ｂ、ＶＲＡＭ１２、液晶パネル駆動部１３及び液晶パネル１４からなる。
【００２１】
このマルチビュー表示部１０は、異なる２つの画像データをそれぞれ右側視野画像及び左側視野画像として表示画面２１上に表示することにより、表示画面２１を右側から見る場合と左側から見る場合とで画面表示を異ならせている。
【００２２】
具体的には、右側画像書込部１１ａが、入力された第１の画像データを右側視野用の画像としてＶＲＡＭ（Video RAM）１２に書き込み、左側画像書込部１１ｂが、入力された第２の画像データを左側視野用の画像としてＶＲＡＭ１２に書き込む。そして、液晶パネル駆動部１３が、ＶＲＡＭ１２上の画像データに基づいて液晶パネル１４を駆動し、右側から見る場合と左側から見る場合とで異なる右側視野画像及び左側視野画像を表示画面２１上に表示させる（デュアルビュー表示）。
【００２３】
図３は、図２のマルチビュー表示部１０における液晶パネル１４の構成例を示した断面図であり、表示画面２１の上下方向（垂直走査方向）に交差する断面の様子が示されている。バックライト４１は、液晶パネル１４に対して光を照射するための面状光源装置であり、液晶パネル１４の背面側に配置されている。
【００２４】
液晶パネル１４は、表示画面２１を右側から見る場合と左側から見る場合とで異なる右側視野画像ＩＭａ及び左側視野画像ＩＭｂを同時に表示可能なデュアルビュー液晶である。この液晶パネル１４は、偏光板４２、ＴＦＴ（Thin Film Transistor）基板４３、液晶層４４、カラーフィルタ４５、視差バリア４６、ガラス板４７及び偏光板４８からなり、バックライト４１側から見てこの順序で配置されている。
【００２５】
カラーフィルタ４５は、ＲＧＢの各色の画素を形成するためのフィルタであり、水平走査方向に関してＲＧＢの各画素が周期的に繰り返し出現するとともに、右側視野用画素４９ａ及び左側視野用画素４９ｂが交互に出現するような構成となっている。右側視野用画素４９ａ及び左側視野用画素４９ｂの配列パターンは、垂直走査方向の任意の位置で一致している。
【００２６】
視差バリア４６は、カラーフィルタ４５を通過した光を視差を利用して選択的に透過させる光学フィルタであり、スリット状の透光部と遮光部とを交互に配置して構成されている。
【００２７】
この様な液晶パネル１４によって構成された表示画面２１を右側から見る場合、右側視野用画素４９ａを透過した光だけが視差バリア４６を透過し、左側視野用画素４９ｂを透過した光は視差バリア４６によって遮断される。従って、この場合には、右側視野画像ＩＭａが視認されることとなる。
【００２８】
一方、表示画面２１を左側から見る場合、左側視野用画素４９ｂを透過した光だけが視差バリア４６を透過し、右側視野用画素４９ａを透過した光は視差バリア４６によって遮断される。従って、この場合には、左側視野画像ＩＭｂが視認されることとなる。
【００２９】
ここで、表示画面２１を右側から見る場合とは、表示画面２１を正面方向から見て右側の視野範囲内で画面表示を視認することである。表示画面２１を左側から見る場合とは、表示画面２１を正面方向から見て左側の視野範囲内で画面表示を視認することである。
【００３０】
また、同一の画像データを右側視野用の画像データ及び左側視野用の画像データとしてマルチビュー表示部１０に入力させた場合には、表示画面２１を右側から見る場合と左側から見る場合とで共通の画像情報を表示させることができる（シングルビュー表示）。
【００３１】
図４は、図１の携帯電話機１の構成例を示したブロック図であり、携帯電話機１内の機能構成の一例が示されている。この携帯電話機１は、傾き検知部５１、キー入力部５２、操作対象選択部５３及びアプリケーション実行部５４により構成される。この携帯電話機１では、右側視野画像ＩＭａ又は左側視野画像ＩＭｂとして表示させるための異なる２つの画像情報を生成し、第１の画像データ及び第２の画像データとしてマルチビュー表示部１０へ出力する動作が行われる。
【００３２】
傾き検知部５１は、モーションセンサー５１ａ、画面回転検出センサー５１ｂ及び傾き判別部５１ｃからなり、ユーザに対する表示画面２１の傾きを検知して検知結果を操作対象選択部５３へ出力する動作を行っている。
【００３３】
モーションセンサー５１ａは、表示画面２１に生じる加速度を検出する加速度検出手段であり、少なくとも表示画面２１の上下方向に平行な回転軸を中心とする表示画面２１の回転を上記加速度として検出可能なものとなっている。この様なモーションセンサー５１ａには、ジャイロセンサー、重力センサー又は地磁気センサーを用いることができる。
【００３４】
ジャイロセンサーは、回転によって生じるコリオリの力を利用して所定の回転軸を中心とする回転角を検出するセンサーである。重力センサーは、重力を利用して所定の回転軸を中心とする回転角を検出するセンサーである。地磁気センサーは、地磁気を利用して所定の回転軸を中心とする回転角を検出するセンサーである。
【００３５】
画面回転検出センサー５１ｂは、操作筐体３に対する表示筐体２の回転角を検出するセンサーであり、ヒンジ部４の回転軸Ａ２を中心とする表示画面２１の回転が検出される。この画面回転検出センサー５１ｂには、例えば、ホール素子や磁気抵抗（Magneto Resistance：ＭＲ）素子などの磁気センサーが用いられる。
【００３６】
傾き判別部５１ｃは、モーションセンサー５１ａ及び画面回転検出センサー５１ｂの出力に基づいて表示画面２１の傾きを判別し、この判別結果を操作対象選択部５３へ出力する動作を行っている。具体的には、モーションセンサー５１ａにより検出された回転角や画面回転検出センサー５１ｂにより検出された回転角に基づいて、表示画面２１の傾きが判別される。
【００３７】
キー入力部５２は、操作パネル３０上の操作キーの操作に基づいて所定の入力信号を生成し、操作対象選択部５３へ出力する動作を行っている。
【００３８】
アプリケーション実行部５４は、所定のアプリケーションプログラムを実行し、ユーザによる操作キーの操作に基づいて画像情報を生成するプログラム実行手段である。例えば、メール機能やウェブブラウザ機能を実現するためのアプリケーションプログラムが実行される。
【００３９】
メール機能は、ユーザ操作に基づいて電子メールを作成編集し、電子メールを送受信し、或いは、送受信した電子メールを閲覧させる機能である。ウェブブラウザ機能は、インターネットなどの通信ネットワークに接続し、通信ネットワーク上のウェブサーバからサイト情報を取得して画面表示させる機能である。
【００４０】
このアプリケーション実行部５４では、異なる画像情報をそれぞれ生成する複数のアプリケーションプログラムが同時に起動可能であり、実行中の複数のアプリケーションプログラムによって生成された異なる２つの画像情報がそれぞれ右側視野及び左側視野用の画像情報として出力される。ここでは、この様な右側視野用の画像情報及び左側視野用の画像情報がそれぞれ第１の画像生成部５４ａ及び第２の画像生成部５４ｂにより生成され、第１の画像データ及び第２の画像データとして出力されるものとする。
【００４１】
操作対象選択部５３は、傾き判別部５１ｃによる判別結果に基づいて、キー入力部５２からの入力信号を第１の画像生成部５４ａ及び第２の画像生成部５４ｂのいずれかに出力する動作を行っている。すなわち、操作対象選択部５３では、表示画面２１の傾きに基づいて操作対象とする画像生成部を選択し、選択した画像生成部に対して操作キーの操作に基づく入力信号を出力する動作が行われる。
【００４２】
この様な構成によれば、ユーザに対する表示画面２１の傾きが所定の閾値を越えて変化した場合に、表示画面２１が右に傾いたのか左に傾いたのかに応じて操作対象とする画像生成部を異ならせることができる。従って、実行中のアプリケーションプログラムによって生成された複数の画像情報を表示させている場合に、ユーザは、表示画面２１を傾けることによって、操作対象とする画像生成部を変更することができる。
【００４３】
ここで、ユーザに対して表示画面２１を右に傾けるとは、表示画面２１の向きを右方向に移動させることであり、右に傾けた状態では、表示画面２１の左側の辺がユーザに近づいた状態となり、右側の辺がユーザから遠ざかった状態となる。一方、左に傾けた状態では、表示画面２１の右側の辺がユーザに近づいた状態となり、左側の辺がユーザから遠ざかった状態となる。
【００４４】
デュアルビュー液晶の場合、左側視野画像ＩＭｂは表示画面２１を左側から見た場合に視認可能となることから、ユーザは、左側視野画像ＩＭｂを見るためには表示画面２１を右に傾ける必要がある。そこで、ユーザが表示画面２１を右に傾けた場合には、左側視野用の画像情報を生成する第２の画像生成部５４ｂが操作対象として選択されるものとする。
【００４５】
これに対して、ユーザが表示画面２１を左に傾けた場合には、右側視野用の画像情報を生成する第１の画像生成部５４ａが操作対象として選択されるものとする。
【００４６】
図５は、図１の携帯電話機１の動作の一例を示した図であり、ユーザに対する表示画面２１の傾きを変更する際の動作例が示されている。携帯電話機１を左手で保持している場合、手首を捻ることにより、表示画面２１の上下方向に平行な回転軸Ｂ１を中心として当該表示画面２１を回転させることができる。
【００４７】
モーションセンサー５１ａでは、回転軸Ｂ１を中心として、表示画面２１を右側に回転させた場合Ｂ１ａの回転角と、左側に回転させた場合Ｂ１ｂの回転角とが互いに符号を異ならせて検出される。
【００４８】
また、手首を左右に振ることにより、表示画面２１に交差する回転軸を中心として当該表示画面２１を回転させることができる。モーションセンサー５１ａでは、この様な回転軸を中心として、表示画面２１を右側に回転させた場合Ｂ２ａの回転角と、左側に回転させた場合Ｂ２ｂの回転角とが互いに符号を異ならせて検出される。
【００４９】
モーションセンサー５１ａによるこの様な検出結果に基づいて、表示画面２１の傾きが検知され、検知結果に応じた画像生成部が操作対象として選択される。
【００５０】
図６（ａ）及び（ｂ）は、図１の携帯電話機１の動作の一例を模式的に示した図であり、右側視野画像ＩＭａ及び左側視野画像ＩＭｂの表示中に表示画面２１を傾けた場合の様子が示されている。図６（ａ）には、表示画面２１を左側に傾けた場合が示され、図６（ｂ）には、右側に傾けた場合が示されている。
【００５１】
この例では、右側視野画像ＩＭａとして、受信メールの閲覧用画像が表示され、左側視野画像ＩＭｂとして、ウェブブラウザによって取得されたサイト情報の閲覧用画像が表示されている。
【００５２】
ユーザから見て表示画面２１を左側に傾けた場合、右側視野画像ＩＭａが視認可能となり、表示画面２１を左側に傾けたことを検知することによって当該右側視野画像ＩＭａを生成する画像生成部が操作対象として選択される。
【００５３】
一方、ユーザから見て表示画面２１を右側に傾けた場合には、左側視野画像ＩＭｂが視認可能となり、表示画面２１を右側に傾けたことを検知することによって当該左側視野画像ＩＭｂを生成する画像生成部が操作対象として選択される。
【００５４】
図７は、図１の携帯電話機１の動作の他の一例を模式的に示した図であり、操作筐体３に対して表示筐体２を回転させることにより表示画面２１を傾けた場合の様子が示されている。この例では、ユーザから見て操作筐体３を傾けることなく表示画面２１を左側に傾けた場合が示されている。
【００５５】
画面回転検出センサー５１ｂでは、ヒンジ部４の回転軸Ａ２を中心として表示画面２１を回転させた場合の回転角が検出される。画面回転検出センサー５１ｂによるこの様な検出結果に基づいて、ユーザに対する表示画面２１の傾きが検知され、検知結果に応じた画像生成部が操作対象として選択される。すなわち、回転軸Ａ２を中心として回転させることによって表示画面２１を左側に傾けた場合にも、表示画面２１を左側に傾けたことを検知することによって右側視野画像ＩＭａを生成する画像生成部が操作対象として選択される。
【００５６】
図８のステップＳ１０１〜Ｓ１０７は、図１の携帯電話機１の動作の一例を示したフローチャートである。まず、アプリケーション実行部５４は、実行中のアプリケーションプログラムによって生成された複数の画像情報のいずれか１つがシングルビュー表示されている場合に、所定のキー操作によってデュアルビュー表示への切替えが指示されると、右側視野及び左側視野用の画像データを生成してデュアルビュー表示させる（ステップＳ１０１，Ｓ１０２）。
【００５７】
次に、操作対象選択部５３は、傾き検知部５１がユーザに対する表示画面２１の傾きが変化したことを検知すると（ステップＳ１０３）、この検知結果に基づいて操作対象とする画像生成部を選択し、操作キーの操作に基づく入力信号を出力する。
【００５８】
このとき、表示画面２１を右に傾けた場合には、左側視野用の画像データを生成する第２の画像生成部５４ｂが選択される（ステップＳ１０４，Ｓ１０５）。一方、表示画面２１を左に傾けた場合には、右側視野用の画像データを生成する第１の画像生成部５４ａが選択される（ステップＳ１０４，Ｓ１０６）。
【００５９】
ステップＳ１０３からステップＳ１０６までの処理手順は、所定のキー操作によってデュアルビュー表示が終了されるまで繰り返される（ステップＳ１０７）。
【００６０】
本実施の形態によれば、ユーザに対する表示画面２１の傾きによって第１及び第２の画像生成部のいずれかが操作対象として選択され、操作キーの操作に基づく入力信号が選択された画像生成部へ出力されるので、ユーザは、表示画面２１を自分から見て右側又は左側に傾けることによって、操作対象とする画像生成部を変更することができる。
【００６１】
実施の形態２．
実施の形態１では、ユーザに対する表示画面２１の傾きを検知することによって操作対象とする画像生成部が変更される場合の例について説明した。これに対し、本実施の形態では、右側視野画像ＩＭａ及び左側視野画像ＩＭｂのいずれか一方を鏡面で反射させることにより、これらの画像を同時に視認可能にする場合について説明する。
【００６２】
図９は、本発明の実施の形態２による携帯可能な情報表示装置の構成例を示した図であり、鏡面１０１ａを有する反射板１０１が表示筐体２に設けられた携帯電話機１００が示されている。この携帯電話機１００は、図１の携帯電話機１と比較すれば、ヒンジ部１０２を介して反射板１０１が表示筐体２に設けられている点で異なる。
【００６３】
反射板１０１は、表示画面２１に対して隣接配置される鏡面１０１ａを有する表示画像の反射手段であり、表示画面２１に表示中の右側視野画像ＩＭａ及び左側視野情報ＩＭｂのいずれか一方の画像情報を鏡面１０１ａで反射させるためのものである。
【００６４】
表示中の右側視野画像ＩＭａ及び左側視野情報ＩＭｂのいずれか一方の画像情報を鏡面１０１ａで反射させることにより、ユーザは、鏡面１０１ａ上の一方の画像情報及び表示画面２１上の他方の画像情報を同時に視認することができる。
【００６５】
ヒンジ部１０２は、反射板１０１及び表示筐体２を折り畳み可能に連結する連結手段であり、表示画面２１の上下方向に平行な回転軸を中心として回転させることにより、表示筐体２の背面側に反射板１０１を折り畳むことができる。
【００６６】
この例では、表示画面２１の左側に反射板１０１が設けられ、表示画面２１の左側の辺と鏡面１０１ａの右側の辺とが隣接配置されている。また、反射板１０１は、表示画面２１と同程度のサイズとなっている。
【００６７】
つまり、右側視野画像ＩＭａ及び左側視野情報ＩＭｂがデュアルビュー表示されている場合、左側視野画像ＩＭｂを鏡面１０１ａで反射させることにより、ユーザは、鏡面１０１ａ上の左側視野画像ＩＭｂ及び表示画面２１上の右側視野画像ＩＭａを同時に視認することができる。
【００６８】
図１０は、図９の携帯電話機１００の構成例を示したブロック図であり、携帯電話機１００内の機能構成の一例が示されている。この携帯電話機１００は、図４の携帯電話機１と比較すれば、鏡面回転検出センサー１０３及び画像反転部１０４を備えている点で異なる。
【００６９】
鏡面回転検出センサー１０３は、表示筐体２に対する反射板１０１の回転角を検出するセンサーであり、ヒンジ部１０２の回転軸を中心とする鏡面１０１ａの回転が検出される。この鏡面回転検出センサー１０３には、例えば、ホール素子や磁気抵抗（Magneto Resistance：ＭＲ）素子などの磁気センサーが用いられる。
【００７０】
画像反転部１０４は、鏡面１０１ａで反射させる左側視野用の画像データについて、左右を反転させる鏡面反転処理を行っている。この左側視野用の画像データに対する鏡面反転処理は、鏡面回転検出センサー１０３の出力に基づいて行われる。
【００７１】
具体的には、反射板１０１が表示筐体２に対して展開させた展開状態である場合、左側視野用の画像データ、すなわち、第２の画像生成部５４ｂからの第２の画像データについて鏡面反転処理を行い、処理後の画像データをマルチビュー表示部１０へ出力する動作が行われる。
【００７２】
一方、反射板１０１が表示筐体２の背面側に折り畳まれて収納させた収納状態である場合には、第２の画像生成部５４ｂからの第２の画像データについて鏡面反転処理を行わず、画像データをそのままマルチビュー表示部１０へ出力する動作が行われる。
【００７３】
マルチビュー表示部１０では、画像反転部１０４による鏡面反転処理後の画像情報を左側視野用の画像情報として表示する動作が行われる。
【００７４】
本実施の形態によれば、デュアルビュー表示中の右側視野画像ＩＭａ又は左側視野画像ＩＭｂのいずれか一方が反射板１０１の鏡面１０１ａで反射されるので、ユーザは、鏡面１０１ａ上の上記一方の画像情報と表示画面２１上の他方の画像情報を同時に視認することができる。その際、反射板１０１で反射させる画像情報については、鏡面反転処理後の画像データに基づいて画面表示が行われるので、上記一方の画像情報について他方の画像情報と左右が一致した画像情報として視認することができる。
【００７５】
なお、実施の形態１及び２では、右側視野画像ＩＭａ及び左側視野画像ＩＭｂをデュアルビュー表示中に表示画面２１の傾きの検知結果に基づいて操作対象が変更される場合の例について説明したが、本発明はこれに限られるものではない。例えば、表示画面を右側から見る場合、正面から見る場合及び左側から見る場合で異なる３つの画像情報を同時に表示可能なトリプルビュー液晶にも本発明は適用することができる。
【図面の簡単な説明】
【００７６】
【図１】本発明の実施の形態１による携帯可能な情報表示装置を示した図であり、情報表示装置の一例として折り畳み可能な携帯電話機１が示されている。
【図２】図１の携帯電話機１における表示部の構成例を示したブロック図であり、マルチビュー表示部１０の機能構成の一例が示されている。
【図３】図２のマルチビュー表示部１０における液晶パネル１４の構成例を示した断面図であり、表示画面２１の上下方向に交差する断面の様子が示されている。
【図４】図１の携帯電話機１の構成例を示したブロック図であり、携帯電話機１内の機能構成の一例が示されている。
【図５】図１の携帯電話機１の動作の一例を示した図であり、ユーザに対する表示画面２１の傾きを変更する際の動作例が示されている。
【図６】図１の携帯電話機１の動作の一例を模式的に示した図であり、右側視野画像及び左側視野画像の表示中に表示画面２１を傾けた場合の様子が示されている。
【図７】図１の携帯電話機１の動作の他の一例を模式的に示した図であり、表示筐体２を回転させることにより表示画面２１を傾けた場合の様子が示されている。
【図８】図１の携帯電話機１の動作の一例を示したフローチャートである。
【図９】本発明の実施の形態２による携帯可能な情報表示装置の構成例を示した図であり、反射板１０１が表示筐体２に設けられた携帯電話機１００が示されている。
【図１０】図９の携帯電話機１００の構成例を示したブロック図であり、携帯電話機１００内の機能構成の一例が示されている。
【符号の説明】
【００７７】
１  携帯電話機
２  表示筐体
３  操作筐体
４  ヒンジ部
１０  マルチビュー表示部
１４  液晶パネル
５１  傾き検知部
５１ａ  モーションセンサー
５１ｂ  画面回転検出センサー
５１ｃ  傾き判別部
５２  キー入力部
５３  操作対象選択部
５４  アプリケーション実行部
５４ａ  第１の画像生成部
５４ｂ  第２の画像生成部
２１  表示画面
２２  受話用レシーバ
２３  アンテナ
３０  操作パネル
１００  携帯電話機
１０１  反射板
１０１ａ  鏡面
１０２  ヒンジ部
１０３  鏡面回転検出センサー
１０４  画像反転部
Ａ１，Ａ２  回転軸
【図１】
2009069440.tif 000003
【図２】
2009069440.tif 000004
【図３】
2009069440.tif 000005
【図４】
2009069440.tif 000006
【図５】
2009069440.tif 000007
【図６】
2009069440.tif 000008
【図７】
2009069440.tif 000009
【図８】
2009069440.tif 000010
【図９】
2009069440.tif 000011
【図１０】
2009069440.tif 000012